(57)【要約】【課題】ホール仕様パチスロ機にアミューズメント用コインセレクタを取り付けた際に、パチスロ機を正常に動作させるための電子回路モジュールを提供する。【解決手段】パチスロ基板５３が動作可能な信号パルスを、パルス入力ポート１１を介して記録するためのパルス記録手段１０と、出力スイッチ２２の一接点入力で前記記録された信号パルスを、擬似パルス出力ポート２１を介してパチスロ基板５３へ出力する擬似パルス出力手段２０とを備えたパチスロ機用コインアナライザー１。このモジュールは、コインセレクタ４０の出力パルス信号ケーブルをコインアナライザー１の出力スイッチ２２に接続して、擬似パルス出力手段１０を動作可能にする。アミューズメント用コインセレクタ等から代用コインが投入されると、出力スイッチ２２がONになり、さらに、記録手段１０に記録された出力パルスが擬似パルスとなってパチスロ基板５３へ出力され、パチスロ機が正常に動作する。【選択図】       図１
0003120902.tif 000002
【実用新案登録請求の範囲】
【請求項１】
パチスロ機が動作可能な信号パルスを記録するためのパルス記録手段と、出力スイッチの一接点入力で前記記録された信号パルスを該パチスロ機へ出力するための擬似パルス出力手段とを備えたパチスロ機用コインアナライザー。
【請求項２】
さらに、該パルス記録手段を動作可能にする記録スイッチを備えたことを特徴とする、請求項１に記載のパチスロ機用コインアナライザー。
【請求項３】
前記出力スイッチの一接点入力は、代用コインの投入により実行されることを特徴とする、請求項１または２に記載のパチスロ機用コインアナライザー。
【請求項４】
請求項１、２または３に記載のパチスロ機用コインアナライザーを、アミューズメント施設用コインセレクタとホール仕様パチスロ機との間に組み込んだことを特徴とする、アミューズメント施設用パチスロ機。
【考案の詳細な説明】
【技術分野】
【０００１】
本考案は、ホール仕様のパチスロ機（回胴式遊技機）内に組み込んで、該パチスロ機の主制御部に代用コインを認識させるための電子回路モジュールに関し、特にホール仕様パチスロ機をアミューズメント施設仕様へ変更するのに有用な電子回路モジュールに関する。
【背景技術】
【０００２】
従来のパチスロ機５０（図７）は、コインセレクタ４０（図８）を内蔵し、それは、コイン投入口５１から投入されたコインの真偽を判別するコイン選別部４１と、真正とされたコインの情報を出力パルスの形でパチスロ機の主制御部に送るパルス出力部４２とを具備している。
【０００３】
コインセレクタ４０の構造と動作手順を、図１０を用いて説明すると、まず、図１０の（１）に示すように、スロット機のコイン投入口５１からコインが投入される。
【０００４】
次に、図１０の（２）において、投入コインは、スロット機内部を自然落下し、その落下場所に位置するコイン選別部４１へ進む。この選別部は、投入されたコインがパチスロ機仕様のコインであるか否かを判別するための検出機構、真正コイン通路および偽コイン通路を備えている。前記検出機構の方式には、クレードルのような機械式、マグネットのような磁気式、コイルのような電気式、フォトセンサのような光学式等がある。これらの少なくとも一種によりコインの外径、厚み、材質等からコインの真偽を判定し、真正なコインとそうでないコインとを区別する。そして、真正コインのみをソレノイドコイル等でコイン選別部４１の真正コイン通路へ通し、一方、偽コインを代用コイン通路からコイン取出口５２へ戻す。
【０００５】
次に、図１０の（３）において、選別部４１を通過した真正コインは、パルス出力部４２へ進む。パルス出力部４２には、図１１に示すように、透過型または反射型のフォトセンサ等でできたセンサ４５が通常２〜４個設置されている（図１１では３個）。センサ４５の回路を図１２に示す。
【０００６】
真正コインがセンサ４５を通過する際に、各センサ４５がその通過を検知して、パルス信号を発信する（図１３）。図１３からわかるように、各センサ４５の出力するパルス信号の形状をおよび出現位置（時刻）は、センサの種別および設置位置（各センサの相対位置）で決まる。そして、各センサの出力パルスを合成したものが、パチスロ機５０内のパチスロ基板５３へ送られる。一方、パルス出力後の真正コインは、ホッパー４３へ収容される（図１１の（４））。
【０００７】
図１４は、仮想A〜E社のパチスロ機のコインセレクタが真正コインを感知して出力したパルスの波形図を示している。各社のコインセレクタの出力波形は、センサ数、その相対位置、およびセンサ特性（正論理または負論理）によって、微細に相違することがわかる。さらには、同じメーカーでも、機種によって波形図が異なることがある。
【０００８】
上記したように、ホール仕様パチスロ機５０が、メーカーや機種によって微細に相違する形状の出力パルスを採用している理由は、遊技機の不正な使用行為を防止するためである。すなわち、針金による操作、違法コインの投入、コインに糸を付ける等によって出力パルスを不正に得ようとした場合（これはクレジットを不正に取得することを意味する）、複雑な出力パルスであればあるほど、出力パルスのトレースが難しく、不正を拒むことができるからである。
【考案の開示】
【考案が解決しようとする課題】
【０００９】
いわゆる風適法による規制の下で、パチスロ機ホールに設置されるパチスロ機に使用可能なコインの外径は、予め２５．０mm、３０．８mmのいずれかに決められている。
【００１０】
一方で、パチスロ機は、ホール以外にも、ゲームセンター等のアミューズメント施設にも設置されている。そこでは、５セント（２１．３ｍｍφ）や２５セント（２４．３ｍｍφ）のコインやメダルといったように、パチスロ機用メダルとは異なるコインが使用されている。
【００１１】
ところで、パチスロ機の人気が落ちてホールでの使用が適さなくなったパチスロ機を、アミューズメント施設で活用したいという要望がある。しかし、ホール仕様パチスロ機のコインセレクタは、アミューズメント施設で使用される５セントや２５セントサイズのコインやメダルを偽コインとして認識するため、ホール仕様パチスロ機をアミューズメント施設にそのまま転用することはできない。アミューズメント施設では、パチスロ機メーカーがアミューズメント施設用に特化して製造したパチスロ機を使用しているのが、現状である。
【００１２】
そこで、ホール仕様パチスロ機をアミューズメント施設で使用可能にするために、ホール仕様パチスロ機のコインセレクタ部分を改造することが考えられる。しかし、パチスロ機の基板が一種類のコインしか認識できないため、５セントサイズおよび２５セントサイズのメダルを両方使いたい場合には、使い勝手が悪い。また、コイン選別機やパチスロ機基板の変更も必要になる。
【００１３】
別法として、ホール仕様パチスロ機のコインセレクタを、アミューズメント施設用コインセレクタを変更することが考えられる。しかし、アミューズメント用コインセレクタが出力するパルスは、図２０に示す波形をしており、これでは、前記したとおり、パチスロ機が正常に動作しない。
【００１４】
そこで、本考案の目的は、ホール仕様パチスロ機にアミューズメント施設用コインセレクタを取り付けて、代用コインを投入した際に、パチスロ機を正常に動作させることを可能にする電子回路モジュールを提供することにある。
【課題を解決するための手段】
【００１５】
上述の課題を解決するために、本考案は、パチスロ機が動作可能な信号パルスを記録するためのパルス記録手段と、出力スイッチの一接点入力で前記記録された信号パルスを該パチスロ機へ出力するための擬似パルス出力手段とを備えたパチスロ機用コインアナライザーを提供する。
【００１６】
前記パルス記録手段は、本考案のパチスロ機用コインアナライザーをホール仕様コインセレクタへ接続した際に、真正コイン投入時の出力パルスを記録するためにある。一方、前記擬似パルス出力手段は、パルス記録手段にパルスが記録された後、代用コイン等を投入した際の一接点入力で、記録された出力パルスを擬似パルス波形として読み出すためにある。擬似パルスは、真正コインによる出力パルスと同一のため、パチスロ基板の信号処理回路に正常に読み込まれる。その結果、ホール仕様コインセレクタを使用しなくとも、パチスロ機が正常に動作するようになる。
【００１７】
前記パチスロ機用コインアナライザーは、さらに、該パルス記録手段を動作可能にする記録スイッチを備えることが好ましい。この記録スイッチは、コインアナライザーを、コインセレクタからの真正コインの出力パルスをパルス記録手段へ記録するモードへ切り替える機能を有する。
【００１８】
前記出力スイッチの一接点入力は、例えば代用コインの投入によりコインセレクタから出力されるパルスによって実行される。これによって、代用コインの投入からパチスロ機の動作まで電子情報等のやりとりが円滑に連動するようになる。
【００１９】
本考案はまた、前記いずれかのパチスロ機用コインアナライザーを、アミューズメント施設用コインセレクタとホール仕様パチスロ機との間に組み込んだことを特徴とする、アミューズメント施設用パチスロ機を提供する。
【考案の効果】
【００２０】
本考案のパチスロ機用コインアナライザーをホール仕様パチスロ機内へ設置することによって、アミューズメント施設コインセレクタの使用が可能になる。すなわち、本考案のパチスロ機用コインアナライザーは、代用コインの投入毎に、パルス記録手段から擬似パルス波形が呼び出されて、代用コインによってもホール仕様パチスロ機を正常に動作させることができる。したがって、本考案のコインアナライザーを組み込むことによって、ホール仕様パチスロ機をアミューズメント施設に転用することが可能となる。
【００２１】
本考案のコインアナライザーは、パチスロ機のメーカーや機種によらず、すべてのパチスロ機に対応可能である。さらに、パチスロ機に投入される代用コインは、アミューズメント用コインセレクタに応じて、一種類でもよく、あるいは二種類以上の混在したものでもよい。
【考案を実施するための最良の形態】
【００２２】
以下、本考案の実施の形態を、添付の図面を用いて説明する。なお、本明細書において、「真正コイン」とは、コインセレクタの出力パルスをホール仕様パチスロ機に入力した際に、クレジットの読み込み等、パチスロ機が正常に動作するものをいう。「代用コイン」とは、コインセレクタの出力パルスをパチスロ機に入力した際にパチスロ機が正常に動作しないものをいい、例えばゲーム機用のメダル、トークンおよび硬貨である。
【００２３】
図１は、本考案のパチスロ機用アナライザーの概略ブロック図を示し、図２はその回路図である。図１において、本考案のパチスロ機用コインアナライザー１は、主としてパルス記録手段１０および擬似パルス出力手段２０からなる。
【００２４】
パルス記録手段１０は、具体的には図２の真正コインの出力パルスを受け入れるためのパルス入力ポート１１（I/Oポート１７の一部）、該パルスを記録するためのプログラム、およびパルスを記憶するためのパルス用不揮発メモリ１２からなる。前記プログラムは、プログラム用メモリ１３に記憶され、コインアナライザーの起動時にＣＰＵ（中央演算処理装置）１４およびＲＡＭ１５に読み込まれた後、実行されるようになっている。パルス記録手段１０は、コインセレクタ４０に真正コインが投入されると、パチスロ基板５３が動作可能な出力パルスを取得して、そのパルスをパルス用不揮発メモリ１２へ記録するように機能する。
【００２５】
パルス入力ポート１１は、コインセレクタ４０のパルス出力ポート４４と連結され、パルス波形を受け入れるためにある。パルス入力ポート１１は、ポートを動作可能にする記録スイッチ１６をＯＮにすることによって記録モードに切り替わって、パルス受け入れ可能となる。
【００２６】
擬似パルス出力手段２０は、具体的には図２の不揮発メモリ１２から真正コインの波形データを読み出して出力するためのプログラム、およびその擬似パルス出力波形をパチスロ基板５３へ送信する擬似パルス出力ポート２１（I/Oポート１７の一部）から構成される。前記プログラムは、プログラムメモリ１３に記憶されており、コインアナライザーの起動持に、ＣＰＵ１４およびＲＡＭ１５に読み込まれた後、出力スイッチ２２の一接点入力で実行されるようになっている。擬似パルス出力手段２０は、前記記録された真正な信号パルスをパチスロ基板５３へ出力するように機能する。
【００２７】
前記出力スイッチ２２の一接点入力は、代用コインの投入と連動している。アミューズメント施設用コインセレクタは、コインが投入された際に、マイクロスイッチ方式（図１４，１５）、センサ方式（図１６，１７）、内蔵センサ方式（図１８）等によって出力パルスを発信する。その波形を図１９に示す。本考案のコインアナライザーは、図１９に示すような波形を受け取ると、出力スイッチ２２の一接点入力がＯＮされる。なお、アミューズメント施設用コインセレクタのマイクロスイッチ方式（図１４，１５）が、本考案のコインアナライザーの出力スイッチ２２を兼ねてもよい。
【００２８】
本考案のコインアナライザー１は、適宜、記録モードの判別や、出力スイッチのオンオフを表示するための表示手段（図１ではＬED３０）を有する。
【００２９】
本考案のコインアナライザーの使用方法を、本考案のコインアナライザー１と、ホール仕様パチスロ機のコインセレクタ４０およびアミューズメント施設用コインセレクタ６０との接続状態図を用いて、以下に詳細に説明する。なお、本考案のコインアナライザーを含む各構成部品は、パチスロ機５０内に設置される。
【００３０】
（１）真正コインのパルス波形記録の準備
まず、図３において、ホール仕様パチスロ機５０内に設置されたコインセレクタ４０と本考案のコインアナライザー１とを接続する。具体的には、コインセレクタ４０のパルス出力ポート４４と、パチスロ基板５３の基板用パルス入力ポート５４との間の接続を解除し、次いで、該パルス出力ポート４４を、本考案のコインアナライザー１のパルス入力ポート１１へ連結する。
【００３１】
（２）出力パルスの記録
次に、図３において、コインアナライザー１の記録スイッチ１６を入れ、真正コイン用の出力パルスの記録手段１０への記録モードをＯＮにする。その後、パチスロ機のコイン投入口５１に真正コインを投入する。真正コインは、選別部４１を通り、パルス出力部４２において、正規の出力パルスの発信を促す。出力パルスは、コインアナライザー１のパルス入力ポート１１を通って、本考案のパルス記録手段１０のパルス用不揮発メモリ１２へ記録される。記録後、記録スイッチ１６をOFFにする。
【００３２】
（３）擬似出力パルスの動作確認
次に、図４において、コインアナライザー１の擬似パルス出力ポート２１とパチスロ基板５３の基板用パルス入力ポート５４とを、ケーブルで連結する。コインアナライザー１の出力スイッチ２２を入れると、パルス記録手段１０のフラッシュメモリ１２から擬似パルスが読み出される。擬似パルスによってパチスロ基板５３が正常に動作することを確認する。
【００３３】
（４）アミューズメント施設用コインセレクタの設置
次に、図５において、パチスロ機５０からホール仕様コインセレクタ４０に取り外し、アミューズメント施設用コインセレクタ６０を取り付ける。具体的には、コインセレクタ４０とコインアナライザー１のパルス入力ポート１１との接続を解除して、ホール仕様コインセレクタ４０を取り外す。次いで、アミューズメント施設用コインセレクタ６０を設置し、コインセレクタ６０のパルス出力ポート４４を、本考案のコインアナライザー１の出力スイッチ２２へ接続する。
【００３４】
接続後、コインセレクタ６０に代用コインを投入する。代用コイン投入による出力パルスが、一接点入力となって出力スイッチ２２をＯＮにする。これにより、パルス記録手段１０のパルス用不揮発メモリ１２から擬似パルスの出力波形が読み出され、パチスロ基板５３に入力される。アミューズメント施設用コインセレクタ６０への代用コイン投入に対して、パチスロ基板５３が正常に動作することを確認する。
【産業上の利用可能性】
【００３５】
本考案のパチスロ機用コインアナライザーは、ホール仕様パチスロ機内に設置し、該パチスロ機をアミューズメント施設へ転用するのに好適である。他にも、一接点入力をボタン式にすることにより、コイン投入の手間を省略でき、そのような使用態様は、特にコインレスの家庭遊技用パチスロ機を提供するのに有用である。
【図面の簡単な説明】
【００３６】
【図１】本考案に従う一実施例の電子回路モジュールのブロック図を示す。
【図２】図２電子回路モジュールの回路図であって、ホール仕様のパチスロ機のコインセレクタ４０およびパチスロ基板５３、ならびにアミューズメント仕様のパチスロ機のコインセレクタ６０との接続状態を示す。
【図３】真正コインのパルス波形記録を準備するための、図２のコインアナライザー１とホール仕様パチスロ機のコインセレクタ４０との接続図である。
【図４】図３の接続図において、出力パルスの記録のために記録スイッチ１６をONにした状態を示す図である。
【図５】擬似出力パルスの動作確認のために、図３の出力スイッチ２２をONにして、疑似出力パルスを発生させた状態を示す図である。
【図６】アミューズメント施設用コインセレクタの設置のために、図５の出力スイッチ２２にアミューズメント施設用コインセレクタ６０のパルス出力ケーブルを接続し、コインセレクタ６０への代用コインの投入により、疑似出力パルスを発生させた状態を示す図である。
【図７】一般的なパチスロ機の外観図である。
【図８】ホール仕様パチスロ機のコインセレクタ４０の構成を示すブロック図である。
【図９】従来技術に従う、ホール用パチスロ機のコインセレクタ４０とパチスロ基板５３との間のパルス出力用接続図である。
【図１０】コインセレクタ４０の動作手順を示す図である。
【図１１】図８のパチスロ機のコインセレクタ４０の概略構成図であり、図では３個のセンサ４５が設置されている。
【図１２】図１１のセンサ４５の回路図である。
【図１３】図１１のコインセレクタ４０のセンサ４５間をコインが通過する瞬間を示す図（下段）と、通過時、各センサ４５から発生する出力パルスの時間経過を示す図（上段）である。
【図１４】図１３の出力パルスが、各社（Ａ〜Ｅ）のコインセレクタ４０の設置状況で変わることを示す図である。
【図１５】アミューズメント仕様のパチスロ機のマイクロスイッチ方式のコインセレクタ６０の概略を示す図である。
【図１６】図１５のマイクロスイッチ６１の回路図である。
【図１７】アミューズメント仕様のパチスロ機のセンサ方式のコインセレクタ６０の概略を示す図である。
【図１８】図１７のセンサ６２の回路図である。
【図１９】アミューズメント仕様のパチスロ機のマイクロスイッチ６１の回路図またはセンサ６２の回路図が発生する出力パルスの時間経過図である。
【符号の説明】
【００３７】
１  コインアナライザー
１０  パルス記録手段
１１  パルス入力ポート
１２  パルス用不揮発メモリ
１３  プログラム用メモリ
１４  CPU
１５  RAM
１６  記録スイッチ
１７  Ｉ／Ｏポート
２０  擬似パルス出力手段
２１  パルス出力ポート
２２  出力スイッチ
３０  ＬＥＤ
３１  オシレータ
３２  タイマ・カウンタ
４０  コインセレクタ
４１  コイン選別部
４２  パルス出力部
４３  ホッパー
４４  パルス出力ポート
４５  センサ
５０  パチスロ機
５１  コイン投入口
５２  コイン取出口
５３  パチスロ基板
５４  基板用パルス入力ポート
６０  アミューズメント用コインセレクタ
６１  マイクロスイッチ
６２  センサ
【図１】
0003120902.tif 000003
【図２】
0003120902.tif 000004
【図３】
0003120902.tif 000005
【図４】
0003120902.tif 000006
【図５】
0003120902.tif 000007
【図６】
0003120902.tif 000008
【図７】
0003120902.tif 000009
【図８】
0003120902.tif 000010
【図９】
0003120902.tif 000011
【図１０】
0003120902.tif 000012
【図１１】
0003120902.tif 000013
【図１２】
0003120902.tif 000014
【図１３】
0003120902.tif 000015
【図１４】
0003120902.tif 000016
【図１５】
0003120902.tif 000017
【図１６】
0003120902.tif 000018
【図１７】
0003120902.tif 000019
【図１８】
0003120902.tif 000020
【図１９】
0003120902.tif 000021